(57)【特許請求の範囲】
【請求項１】
風呂蓋（Ｂ）が立て掛けられる壁面（Ｗ）に取り付けられる取付部（10）に、前記壁面と平行でかつ水平な第１軸（A1）を介して、アーム部（30）が起立姿勢から水平姿勢までの範囲内で回動自在に取り付けられるとともに、このアーム部（30）に、前記第１軸と平行な第２軸（A2）を介して、前記風呂蓋を係止する係止部（50）が、前記アーム部に対して平行な角度位置から直角な角度位置までの範囲内で回動自在に取り付けられてなることを特徴とする風呂蓋係止具。
【請求項２】
前記係止部を前記アーム部に対して直角な角度位置に保持する係止部保持手段（41）（55）を備えてなる請求項１記載の風呂蓋係止具。
【請求項３】
前記アーム部を水平姿勢に保持する水平姿勢保持手段（21）（39）を備えてなる請求項１又は２記載の風呂蓋係止具。
【請求項４】
前記アーム部を起立姿勢に保持する起立姿勢保持手段（23）（37）を備えてなる請求項１乃至３のいずれか１項記載の風呂蓋係止具。
【請求項５】
前記取付部（10）には、その前面側に開口し、起立姿勢のアーム部を収納するアーム部収納用凹部（13）が設けられる一方、
前記係止部（50）は、前記収納用凹部（13）の開口部を覆いうる蓋状に形成されてなる請求項１乃至４のいずれか１項記載の風呂蓋係止具。
【発明の詳細な説明】
【０００１】
【発明の属する技術分野】
この発明は、浴室内の壁面に立て掛けられた風呂蓋の倒れを防止する風呂蓋係止具に関する。
【０００２】
【従来の技術】
従来のこの種の風呂蓋係止具の一つに、実開平３−４８５７６号公報に開示されたものがある。この風呂蓋係止具（100 ）は、図８（ｂ）に示すように、板状を成し、基端部が浴室内の壁面（106 ）に取付部材（101 ）を介して第１の軸（104 ）回りに回動可能に取り付けられた爪片（102 ）と、該爪片（102 ）の先端部において、爪片（102 ）とほぼ平行な角度位置からほぼ直角な角度位置までの範囲内で前記第１の軸（104 ）と平行な第２の軸（105 ）回りに回動可能に設けられた板状の鉤状部（103 ）とを有するものである。
【０００３】
そして、この風呂蓋係止具（100 ）は、同図（ｂ）及び（ｃ）に示すように、爪片（102 ）を水平姿勢にするとともに、鉤状部（103 ）を爪片（102 ）に対して直角となる位置まで開いて下方突出状態にすることにより、風呂蓋（107 ）をその上端部において係止し、これにより風呂蓋（107 ）の倒れを防止するものであった。
【０００４】
【発明が解決しようとする課題】
而して、上記従来の風呂蓋係止具（100 ）の爪片（102 ）は、取付部材（101 ）に回動可能に取り付けられているだけなので、使用前は、同図（ｃ）に示すように、垂れ下がり姿勢になっている。したがって、この風呂蓋係止具（100 ）により風呂蓋（107 ）を係止する場合には、まず垂れ下がり姿勢の爪片（102 ）を持ち上げて水平姿勢にするとともに、この姿勢を片手で保持しながら、他方の片手で風呂蓋（107 ）を爪片（102 ）の下側にまで移動させて壁面（106 ）に立て掛けなければならない。その後、爪片（102 ）を風呂蓋（107 ）の上端面に乗せるとともに、鉤状部（103 ）を下方に向かって回転させて下方突出状態にしなければならない。
【０００５】
しかしながら、風呂蓋（107 ）は、その重量がかなり大きくかつ片手で風呂蓋（107 ）を掴むにはいささか嵩高なものであるから、前記係止操作中に風呂蓋（107 ）を片手で移動させることは容易ではなかった。しかも、風呂蓋（107 ）を適切な位置に立て掛けずに鉤状部（103 ）を下方に移動させてしまって、鉤状部（103 ）が風呂蓋（107 ）の上端面にぶつかったりすると、再度風呂蓋（107 ）を移動させなければならず、係止操作はますます面倒なものとなる。
【０００６】
この発明は、上記難点を解決するためになされたもので、係止操作を簡単に行うことができ、かつしっかりと風呂蓋を係止することのできる風呂蓋係止具を提供することを目的とする。
【０００７】
【課題を解決するための手段】
上記目的を達成するため、この発明に係る風呂蓋係止具は、風呂蓋が立て掛けられる壁面に取り付けられる取付部に、前記壁面と平行でかつ水平な第１軸を介して、アーム部が起立姿勢から水平姿勢までの範囲内で回動自在に取り付けられるとともに、このアーム部に、前記第１軸と平行な第２軸を介して、前記風呂蓋を係止する係止部が、前記アーム部に対して平行な角度位置から直角な角度位置までの範囲内で回動自在に取り付けられてなることを特徴とする。
【０００８】
この発明に係る風呂蓋係止具は、風呂蓋を立て掛ける浴室内の壁面における所定高さ位置に取り付けられて使用されるもので、起立姿勢のアームを第１軸を中心に回動させて水平姿勢にしつつ、係止部を第２軸を中心に回動させてアーム部に対して直角となる位置まで開いて係止部を下方突出状態にすることにより、予め壁面に立て掛けられている風呂蓋に係止部を引っ掛けて風呂蓋を係止し、これにより風呂蓋の倒れを防止するものである。
【０００９】
したがって、係止操作中に風呂蓋を移動させるといった面倒な作業を行う必要がなく、このため係止操作が簡単になる。
【００１０】
また、前記係止部を前記アーム部に対して直角な角度位置に保持する係止部保持手段を備えている場合には、風呂蓋を係止する際に、下方突出状態になった係止部の揺れ動きを防止することができるものとなる。
【００１１】
また、前記アーム部を水平姿勢に保持する水平姿勢保持手段を備えている場合には、水平姿勢保持手段によりアーム部が水平姿勢に保持される結果、係止部の風呂蓋への係止位置が固定され、このため風呂蓋をしっかりと係止することができるものとなる。
【００１２】
また、前記アーム部を起立姿勢に保持する起立姿勢保持手段を備えている場合には、起立姿勢保持手段によりアーム部が起立姿勢に保持され、このためアーム部が不本意に倒れて壁面前方に突出してしまうことを防止できるものとなる。
【００１３】
また、前記取付部には、その前面側に開口し、起立姿勢のアーム部を収納するアーム部収納用凹部が設けられる一方、前記係止部は、前記収納用凹部の開口部を覆いうる蓋状に形成されている場合には、不使用時における風呂蓋係止具の美観が向上するとともに、収納用凹部への水の浸入を防止することができる。
【００１４】
【発明の実施の形態】
次に、この発明の実施形態を図面に基づいて説明する。
【００１５】
図１〜図７において、（１）はこの実施形態の風呂蓋係止具である。この風呂蓋係止具（１）は、図５〜図７に示すように、上記従来例と同様に浴室内の壁面（Ｗ）に取り付けられて使用されるものであって、壁面（Ｗ）に立て掛けられた風呂蓋（Ｂ）を係止することにより、風呂蓋（Ｂ）の倒れを防止するものである。
【００１６】
この風呂蓋係止具（１）は、図７に示すように、壁面（Ｗ）に取り付けられる取付部（10）に、風呂蓋（Ｂ）を係止する係止部（50）が、所定長さを有する棒状のアーム部（30）を介して連結されているもので、前記取付部（10）、係止部（50）及びアーム部（30）はいずれも合成樹脂製である。
【００１７】
前記アーム部（30）は、その基端部つまり下端部に設けられるとともに壁面（Ｗ）と平行でかつ水平な第１軸（A1）を中心に、起立姿勢から水平姿勢までの範囲内において回動することができるように構成されている。
【００１８】
一方、前記係止部（50）は、前記アーム部（30）の先端部つまり上端部に設けられるとともに前記第１軸（A1）と平行な第２軸（A2）を中心に、前記アーム（30）に対して平行な角度位置から直角な角度位置までの範囲内において回動することができるように構成されている。
【００１９】
そして、前記アーム部（30）を回動させて水平姿勢にするとともに、前記係止部（50）をアーム（30）に対して直角となる位置まで回転させて下方突出状態にすることにより、該係止部（50）で風呂蓋（Ｗ）をその上端部において係止するものである。
【００２０】
前記取付部（10）は、図４に示すように、上下方向に延びた板状の本体（11）と、該本体（11）の周縁にその全周に亘って一体形成された周壁部（12）とを有するとともに、前記本体（11）と周壁部（12）とで形成された凹部（13）をアーム部収納用凹部とするものである。また、この取付部（10）は、左右対称構造になっている。前記本体（11）には、上下に合計２個のネジ挿通孔（14）（14）が設けられており、このネジ挿通孔（14）（14）に取付ネジ（15）（15）を挿通して壁面（Ｗ）に埋設されたナット（16）（16）にねじ込むことにより、図１〜図３に示すように、取付部（10）が壁面（Ｗ）に取り付けられている。この取付状態において、前記アーム部収納用凹部（13）は、その開口部を前面側に向けている。
【００２１】
まず、前記取付部（10）とアーム部（30）の連結構造について説明する。
【００２２】
図４に示すように、前記取付部（10）の周壁部（12）における対向する両側壁部の下端部内面には、壁面（Ｗ）と平行でかつ水平方向に並んだ一対の第１軸用の軸受け凹部（17）（17）が設けられている。
【００２３】
一方、前記アーム部（30）は、起立姿勢になった時に、前記取付部（10）のアーム部収納用凹部（13）内に収納されるものであって、アーム部収納用凹部（13）の長さ寸法より若干小寸の長さを有するとともに、アーム部収納用凹部（13）の幅寸法より若干小寸の幅を有する板状の本体（31）と、該本体（31）の周縁に一体形成された周壁部（32）とを有しており、かつ長さ方向の中間部には、幅方向に延びる複数個の補強用リブ（33）…が長さ方向に間隔をおいて設けられている。また、このアーム部（30）は、左右対称構造になっている。前記周壁部（32）における対向する両側壁部（32a ）（32a ）の下端部には、平行状に２条のスリット（34）（34）が切り込まれることにより、それらの間に弾性片（35）（35）が形成されている。そして、この弾性片（35）（35）の外面に、前記軸受け凹部（17）（17）に対応する一対の第１軸用の凸部（36）（36）が設けられている。
【００２４】
そして、この凸部（36）（36）が前記取付部（10）の軸受け凹部（17）（17）に回転自在に嵌合されることにより、壁面（Ｗ）と平行でかつ水平な第１軸（A1）が構成され、アーム部（30）はこの第１軸（A1）を中心に回動しうるものとなされている。
【００２５】
さらに、図４に示すように、前記取付部（10）の周壁部（12）における対向する両側壁部の下端部内面には、前記凸部（36）（36）を軸受け凹部（17）（17）に案内するとともに、軸受け凹部（17）（17）に連なる一対の凸部案内用溝条（18）（18）が設けられ、これにより凸部（36）（36）の軸受け凹部（17）（17）への嵌合操作が容易になるものとなされている。この溝条（18）（18）の深さは、前記軸受け凹部（17）（17）よりも浅く設定されており、これにより溝条（18）（18）と軸受け凹部（17）（17）の境界部に段差が形成されている。そして、この段差部に軸受け凹部（17）（17）に嵌合された凸部（36）（36）が引っ掛かることにより、凸部（36）（36）が溝条（18）（18）側にずれないものとなされている。
【００２６】
また、図３に示すように、前記アーム部（30）の周壁部（32）における下壁部（32b ）は、断面円弧状に形成されている。さらに、この下壁部（32b ）の幅方向中間部には、断面三角形状の爪片（37）が突設されている。
【００２７】
一方、前記取付部（10）の本体（11）の下端部には、図４に示すように、略長方形状の貫通孔（19）が設けられている。さらに、この貫通孔（19）の上縁部の中間部には、コ字状の切欠き部（20）が設けられている。
【００２８】
そして、図３に示すように、前記アーム部（30）が回動して水平姿勢になった時に、前記爪片（37）が前記貫通孔（19）から切欠き部（20）に入り込んで該切欠き部（20）の上縁に衝合し、これによって前記アーム部（30）の更なる回動が規制されるものとなされている。
【００２９】
また、図４に示すように、前記取付部（10）の本体（11）における貫通孔（19）の下縁部には、水平姿勢保持用の門型の弾性係合片（21）が水平に突設されている。この弾性係合片（21）の先端部は、図２に示すように上方に僅かに突出した係合凸部（21a ）を有している。
【００３０】
一方、図４に示すように、前記アーム部（30）の本体（31）の下端部には、２個の直角三角形状のリブ（38）（38）により補強された係合片（39）が突設されている。
【００３１】
そして、図２に示すように、前記アーム部（30）が水平姿勢になる直前に、前記係合片（39）の先端が前記弾性係合片（21）の係合凸部（21a ）にぶつかって該弾性係合片（21）を弾性変形させ、そして図３に示すように、アーム部（30）が水平姿勢になって前記爪片（37）が前記切欠き部（20）の上縁に衝合した時に、弾性係合片（21）が弾性復元してその係合凸部（21a ）が係合片（39）の先端に係合し、これにより前記アーム部（30）の水平姿勢が保持されるもとのなされている。一方、前記弾性係合片（21）の係合凸部（21a ）と係合片（39）との係合は、アーム部（30）を強制的に起立姿勢側に回動させることにより、解除されるものとなされている。
【００３２】
また、図４に示すように、前記取付部（10）の本体（11）における貫通孔（19）の両側縁部には、上下方向に延びた２個の凸条（22）（22）が幅方向に平行に並んで設けられている。
【００３３】
一方、前記アーム部（30）の周壁部（32）における下壁部（32b ）は、上述したように断面円弧状に形成されていることから、図２及び図３に示すように、この下壁部（32b ）の外面が前記凸条（22）（22）に略点接触状態に当接するものとなり、これによりアーム部（30）の回動がスムーズに行えるものとなされている。
【００３４】
また、図４に示すように、前記取付部（10）の本体（11）における貫通孔（19）の下縁部には、前記弾性係合片（21）の２個の脚片部（21b ）（21b ）間において、起立姿勢保持用の弾性突片（23）が水平に突設されている。
【００３５】
そして、前記アーム部（30）が起立姿勢になる直前に、前記爪片（37）が前記弾性係合片の脚片部（21b ）（21b ）間に入り込んで前記弾性突片（23）にぶつかって該弾性突片（23）を弾性変形させ、そして図１に示すように、アーム部（30）が起立姿勢になった時に、弾性突片（23）が弾性復元してその先端部が前記爪片（37）に係合し、これにより前記アーム部（30）の起立姿勢が保持されるものとなされている。一方、前記弾性突片（23）と爪片（37）との係合は、アーム部（30）を強制的に水平姿勢側に回動させることにより、解除されるものとなされている。
【００３６】
次に、前記アーム部（30）と係止部（50）の連結構造について説明する。
【００３７】
図４に示すように、前記アーム部（30）の上部は、下部よりも若干小幅に形成されている。そして、この上部の両側壁部（32a ）（32a ）の上端部外面に、壁面（Ｗ）と平行でかつ水平方向に並んだ一対の第２軸用の凸部（40）（40）が設けられている。
【００３８】
前記係止部（50）は、図５に示すように前記アーム部（30）が起立姿勢になって前記取付部（10）のアーム部収納用凹部（13）内に収納された時に、該アーム部収納用凹部（13）の開口部を覆いうる蓋状のものであって、図４に示すように、アーム部収納用凹部（13）の長さ寸法より若干大寸の長さを有するとともに、アーム部収納用凹部（13）の幅寸法より若干大寸の幅を有する平板状の本体（51）と、該本体（51）の周縁にその全周に亘って一体形成された鍔部（52）とを有している。前記鍔部（52）は、前記本体（51）の裏面側に突出している。また、この係止部（50）は、左右対称構造になっている。前記本体（51）の上端部裏面には、対向する一対の軸受け用突片（53）（53）が突設されている。そして、この軸受け用突片（53）（53）に、前記凸部（40）（40）に対応する一対の第２軸用の軸受け孔（54）（54）が穿設されている。
【００３９】
そして、この軸受け孔（54）（54）に前記アーム部（30）の凸部（40）（40）が回転自在に嵌合されることにより、壁面（Ｗ）と平行でかつ水平な第２軸（A2）、つまり第１軸（A1）と平行な第２軸（A2）が構成され、係止部（50）はこの第２軸（A2）を中心に回動しうるものとなされている。
【００４０】
また、図４に示すように、前記アーム部（30）の本体（31）の上端部には、周壁部（32）の上壁部（32c ）の外面と平行に弾性係合片（41）が一体に連設されている。この弾性係合片（41）の先端部は、外面側に僅かに突出した幅方向に延びる断面半円形状の係合凸部（41a ）を有している。
【００４１】
一方、図２及び図３に示すように、前記係止部（50）の本体（51）の上端部裏面における前記軸受け用突片（53）（53）の間には、前記弾性係合片（41）の係合凸部（41a ）に対応した係合凹部（55）が設けられている。さらに、前記係止部（50）の本体（51）の上端部裏面における前記係合凹部（55）の下側近傍には、回動規制用突片（56）が突設されている。
【００４２】
そして、図２に示すように、前記係止部（50）がアーム部（30）に対して直角になる位置まで回動する直前に、係止部（50）の本体（51）が前記弾性係合片（41）の係合凸部（41a ）にぶつかって該弾性係合片（41）を弾性変形させ、そして係止部（50）がアーム部（30）に対して直角になる位置まで回動した時に、図３に示すように、弾性係合片（41）が弾性復元してその係合凸部（41a ）が係合凹部（55）に係合し、これにより係止部（50）の姿勢が保持されるものとなされている。一方、前記弾性係合片（41）の係合凸部（41a ）と係合凹部（55）との係合は、係止部（50）を強制的にアーム部（30）に対して平行になる位置側に回動させることにより、解除されるものとなされている。
【００４３】
さらに、前記係止部（50）がアーム部（30）に対して直角になる位置まで回動した時に、係止部（50）の本体（51）が前記アーム部（30）の弾性係合片（41）の外面に衝合するとともに、前記回動規制用突片（56）がアーム部（30）の周壁部（32）における上壁部（32c ）の端面に衝合し、この２つの衝合によって前記係止部（50）の更なる回動が規制されるものとなされている。
【００４４】
また、前記係止部（50）は、前記アーム部（30）が起立姿勢になって前記取付部（10）のアーム部収納用凹部（13）内に収納された時に、図１に示すように、アーム（30）に対して平行となるとともに、係止部（50）の本体（51）が取付部（10）の周壁部（12）の端面に衝合してアーム部収納凹部（13）の開口部を閉塞し、図５に示すように該開口部を覆うものとなされている。
【００４５】
また、このとき、アーム部（30）は前記弾性突片（23）と爪片（37）との係合により起立姿勢に保持されていることから、係止部（50）はアーム部収納用凹部（13）の開口部を覆った状態に保持されることとなる。また、前記鍔部（52）は、水を遮蔽するものとなり、アーム部収納凹部（13）内への水の浸入をより確実に防止するものとなっている。
【００４６】
以上の構成の風呂蓋係止具（１）を使用する場合は、図５及び図６に示すように、まず風呂蓋係止具（１）の取付け位置下側の壁面（Ｗ）に、風呂蓋（Ｂ）を立て掛ける。次いで、風呂蓋係止具（１）の係止部（50）を掴んで、該係止部（50）を前方に若干強く引っぱる。すると、弾性突片（23）と爪片（37）との係合が解除されるとともに、アーム部（30）が取付部（10）のアーム部収納用凹部（13）内から引っぱり出されて第１軸（A1）を中心に水平姿勢側に回動させられる。更に係止部（50）を操作し、アーム部（30）を水平姿勢にするとともに、係止部（50）を下方突出状態にすることによって、図７に示すように該係止部（50）により風呂蓋（Ｂ）が係止される。
【００４７】
このように、この風呂蓋係止具（１）によれば、係止操作の途中で風呂蓋（Ｂ）を移動させる必要はなく、予め壁面（Ｗ）に立て掛けられていた風呂蓋（Ｂ）に対して係止操作を行うことができる。したがって、係止操作を簡単に行うことができる。
【００４８】
この係止状態において、アーム部（30）は、図３に示すように、爪片（37）と切欠き部（20）の上縁との衝合により更なる回動が規制されており、さらに弾性係合片（21）の係合凸部（21a ）と係合片（39）との係合により水平姿勢に保持されている。したがって、アーム部（30）が不本意に持ち上げられる虞はなく、そのため係止部（50）の風呂蓋（Ｂ）への係止位置は固定されるものなる。
【００４９】
さらに、係止部（50）は、図３に示すように、その本体（51）と弾性係合片（41）の外面との衝合、及び回転規制用突片（56）とアーム部（30）の上壁部（32c ）の端面との衝合によって更なる回動が規制されており、さらに弾性係合片（41）の係合凸部（41a ）と係合凹部（55）との係合により下方突出状態に保持されている。したがって、係止部（50）が第２軸（A2）を中心に揺れ動いてしまう心配はなく、風呂蓋（Ｂ）をしっかりと係止している。
【００５０】
一方、風呂蓋（Ｂ）への係止を解除する場合は、係止部（50）を掴んで、該係止部（50）を上方に若干強く持ち上げる。すると、弾性係合片（21）の係合凸部（21a ）と係合片（39）との係合が解除されるとともに、アーム部（30）が第１軸（A1）を中心に起立姿勢側に回動させられる。かつ、このアーム部（30）の回動に伴い、弾性係合片（41）の係合凸部（41a ）と係合凹部（55）との係合が解除される。更に係止部（50）を操作し、アーム部（30）を起立姿勢にするとともに、係止部（50）をアーム部（30）と平行な状態にすることによって、風呂蓋（Ｂ）への係止が解除される。このような簡単な操作によって、係止を解除することができる。
【００５１】
この係止解除状態において、アーム部（30）は、図１に示すように、取付部（10）のアーム部収納用凹部（13）内に収納されており、さらに爪片（37）と弾性突片（23）の先端部との係合により起立姿勢に保持されているので、アーム部（30）が不本意に倒れて壁面（Ｗ）前方に突出してしまう心配はない。
【００５２】
また、係止部（50）は、取付部（10）のアーム部収納用凹部（13）の開口部を覆い、これによりアーム部収納用凹部（13）内への水の浸入を防止するものとなっている。したがって、アーム部収納用凹部（13）内に水が浸入して水垢やカビが発生してしまう心配はない。
【００５３】
さらに、アーム部（30）がアーム部収納用凹部（13）内に収納され、かつアーム部収納用凹部（13）の開口部が係止部（50）で覆われていることから、図５に示すように風呂蓋係止具（１）の外観は整然としていて綺麗なものとなる。
【００５４】
以上、この発明の実施形態を説明したが、この発明は上記実施形態に限定されるものではないことはもちろんである。
【００５５】
【発明の効果】
上述の次第で、この発明に係る風呂蓋係止具は、風呂蓋が立て掛けられる壁面に取り付けられる取付部に、前記壁面と平行でかつ水平な第１軸を介して、アーム部が起立姿勢から水平姿勢までの範囲内で回動自在に取り付けられるとともに、このアーム部に、前記第１軸と平行な第２軸を介して、前記風呂蓋を係止する係止部が、前記アーム部に対して平行な角度位置から直角な角度位置までの範囲内で回動自在に取り付けられていることから、浴室内の壁面に予め風呂蓋を立て掛けておいて、この風呂蓋に対し、起立姿勢のアームを第１軸を中心に回動させて水平姿勢にしつつ、係止部を第２軸を中心に回動させてアーム部に対して直角となる位置まで開いて係止部を下方突出状態にすることにより、該係止部を風呂蓋に引っ掛けて風呂蓋を係止し、これにより風呂蓋の倒れを防止することができるようになり、このため係止操作中に風呂蓋を移動させるといった面倒な作業を行う必要がなく、係止操作が簡単であるという利点を有する。
【００５６】
また、前記係止部を前記アーム部に対して直角な角度位置に保持する係止部保持手段を備えている場合には、風呂蓋を係止する際に、下方突出状態になった係止部の揺れ動きを防止することができるという利点を有する。
【００５７】
また、前記アーム部を水平姿勢に保持する水平姿勢保持手段を備えている場合には、水平姿勢保持手段によりアーム部が水平姿勢に保持される結果、係止部の風呂蓋への係止位置が固定され、このため風呂蓋をしっかりと係止することができるという利点を有する。
【００５８】
また、前記アーム部を起立姿勢に保持する起立姿勢保持手段を備えている場合には、起立姿勢保持手段によりアーム部が起立姿勢に保持され、このためアーム部が不本意に倒れて壁面前方に突出してしまうことを防止できるという利点を有する。
【００５９】
また、前記取付部には、その前面側に開口し、起立姿勢のアーム部を収納するアーム部収納用凹部が設けられる一方、前記係止部は、前記収納用凹部の開口部を覆いうる蓋状に形成されている場合には、不使用時における風呂蓋係止具の美観が向上するとともに、収納用凹部への水の浸入を防止することができるという利点を有する。
【図面の簡単な説明】
【図１】この発明の一実施形態を示す風呂蓋係止具の不使用時の状態の断面図である。
【図２】同風呂蓋係止具の使用途上の状態の断面図である。
【図３】同風呂蓋係止具の使用時の状態の断面図である。
【図４】同風呂蓋係止具の分解斜視図である。
【図５】同風呂蓋係止具の不使用時の状態の斜視図である。
【図６】同風呂蓋係止具の使用途上の状態の斜視図である。
【図７】同風呂蓋係止具の使用時の状態の斜視図である。
【図８】従来の風呂蓋係止具を示す図で、（ａ）は浴室内部の斜視図、（ｂ）は風呂蓋係止具の使用時の状態の斜視図、（ｃ）は風呂蓋係止具の不使用時の状態の断面図である。
【符号の説明】
１…風呂蓋係止具
10…取付部
13…アーム部収納用凹部
17…軸受け凹部
21…水平姿勢保持用弾性係合片
23…起立姿勢保持用弾性突片
30…アーム部
36…凸部（第１軸）
37…爪部
39…係合片
40…凸部（第２軸）
41…弾性係合片
50…係止部
53…軸受け用突片
54…軸受け孔
55…係合凹部
56…回動規制用突片
Ｂ…風呂蓋
Ｗ…壁面
【図１】
0003763679.tif 000002
【図２】
0003763679.tif 000003
【図３】
0003763679.tif 000004
【図４】
0003763679.tif 000005
【図５】
0003763679.tif 000006
【図６】
0003763679.tif 000007
【図７】
0003763679.tif 000008
【図８】
0003763679.tif 000009